(57)【要約】【課題】２つ以上の出力端子の設定を簡略化することができるコンテンツ中継装置を提供することである。【解決手段】ＡＶアンプ１は、出力端子１６ａ〜１６ｄのうち２つ以上の出力端子を指定し、２つ以上の出力端子に接続される入力端子を指定し、２つ以上の出力端子から供給されるコンテンツの音量を指定したグループ情報２２を作成する。ＡＶアンプ１は、グループ情報２２により指定される出力端子をグループ情報２２により指定される入力端子に接続するようにセレクタ１７を制御する。ＡＶアンプ１は、グループ情報２２により指定される出力端子から供給されるコンテンツの音量をグループ情報２２により指定された音量に調整する。【選択図】図１
2014096737.tif 000002
【特許請求の範囲】
【請求項１】
コンテンツ供給機器から供給されるコンテンツを受ける１又は複数の入力端子と、
各々が前記１又は複数の入力端子が受けたコンテンツのいずれか１つを外部装置に供給する複数の出力端子と、
前記複数の出力端子の各々を前記１又は複数の入力端子のいずれかに接続するセレクタと、
前記複数の出力端子のうち２つ以上の出力端子を指定するグループメンバ情報と、前記２つ以上の出力端子に接続される入力端子を指定するグループソース情報と、前記２つ以上の出力端子から供給されるコンテンツの音量を指定するグループ音量情報とを作成するグループ情報作成部と、
前記グループメンバ情報で指定される出力端子を前記グループソース情報で指定される入力端子に接続するように前記セレクタを制御する制御部と、
前記グループメンバ情報で指定される出力端子から供給されるコンテンツの音量を前記グループ音量情報で指定された音量に調整する調整部とを備える、コンテンツ中継装置。
【請求項２】
請求項１に記載のコンテンツ中継装置であってさらに、
前記複数の出力端子の各々に接続される入力端子を指定する個別ソース情報と、前記複数の出力端子の各々から供給されるコンテンツの音量を指定する個別音量情報とを作成する個別情報作成部を備え、
前記複数の出力端子は、第１出力端子を含み、
前記制御部は、前記第１出力端子が前記グループメンバ情報で指定されていない場合、前記第１出力端子を前記個別ソース情報で指定された入力端子に接続するように前記セレクタを制御し、
前記調整部は、前記第１出力端子が前記グループメンバ情報で指定されていない場合、前記第１出力端子から供給されるコンテンツの音量を前記個別音量情報で指定された音量に調整する、コンテンツ中継装置。
【請求項３】
請求項２に記載のコンテンツ中継装置であって、
前記グループ情報作成部は、前記グループメンバ情報により指定された出力端子を前記グループメンバ情報から一時的に除外するか否かを示す除外情報を管理し、
前記調整部は、前記除外情報が前記グループメンバ情報で指定された出力端子を一時的に除外することを示す場合、前記グループメンバ情報で指定された出力端子から供給されるコンテンツの音量を前記個別音量情報で指定された音量に調整する、コンテンツ中継装置。
【請求項４】
請求項３に記載のコンテンツ中継装置であって、
前記制御部は、前記除外情報が前記グループメンバ情報で指定された出力端子を一時的に除外することを示す場合、前記グループメンバ情報で指定された出力端子を前記個別ソース情報で設定された入力端子に接続する、コンテンツ中継装置。
【請求項５】
コンテンツ供給機器から供給されるコンテンツを受ける１又は複数の入力端子と、各々が前記１又は複数の入力端子が受けたコンテンツのいずれか１つを外部装置に供給する複数の出力端子と、前記複数の出力端子の各々を前記１又は複数の入力端子のいずれかに接続するセレクタとを備えるコンテンツ中継装置に搭載されるコンピュータに、
前記複数の出力端子のうち２つ以上の出力端子を指定するグループメンバ情報と、前記２つ以上の出力端子に接続される入力端子を指定するグループソース情報と、前記２つ以上の出力端子から供給されるコンテンツの音量を指定するグループ音量情報とを作成するステップと、
前記グループメンバ情報により指定される出力端子を前記グループソース情報により指定される入力端子に接続するように前記セレクタを制御するステップと、
前記グループメンバ情報により指定される出力端子から供給されるコンテンツの音量を前記グループ音量情報により指定された音量に調整するステップとを前記コンピュータに実行させるための制御プログラム。
【発明の詳細な説明】
【技術分野】
【０００１】
本発明は、コンテンツ中継装置に関し、さらに詳しくは、コンテンツ供給装置から供給されるコンテンツを中継するコンテンツ中継装置に関する。
【背景技術】
【０００２】
住居の複数の部屋にスピーカを設置し、同じ楽曲を各部屋に設置されたスピーカから流す場合、特許文献１に係るマルチゾーンシステムや、セレクタ機能を備えるＡＶ（Audio and Visual）アンプなどのコンテンツ中継機器が用いられる。
【０００３】
特許文献１に係るマルチゾーンシステムは、コントローラと、複数のマルチメディアプレイヤとを備える。複数のマルチメディアプレイヤのうち２つ以上のマルチメディアプレイヤがグループを構成する。コントローラは、グループを構成する２つ以上のマルチメディアプレイヤで再生される楽曲やこの楽曲の音量を一括して制御することができる。
【０００４】
コンテンツ中継機器は、１つ以上の入力端子及び複数の出力端子を備えており、各出力端子に接続される入力端子を変更することができる。入力端子には、ＣＤ（Compact Disc）プレーヤなどが接続され、各出力端子には、スピーカが接続される。ユーザは、ＣＤプレーヤが接続された入力端子を２つ以上の出力端子に接続するようにＡＶアンプを設定することにより、２つ以上のスピーカから同時に同じ楽曲を流すことができる。
【０００５】
この場合、ユーザは、２つ以上の出力端子に対して同じ設定をするために、コンテンツ中継機器に対して同じ操作を繰り返さなければならない。
【先行技術文献】
【特許文献】
【０００６】
【特許文献１】米国特許７５７１０１４号公報
【特許文献２】特開２００６−３８５０号公報
【特許文献３】特開２００８−２７１１８号公報
【特許文献４】特開２００８−６５４０９号公報
【特許文献５】特開２０１０−２１１４２９号公報
【発明の概要】
【発明が解決しようとする課題】
【０００７】
本発明の目的は、２つ以上の出力端子の設定を簡略化することができるコンテンツ中継装置を提供することである。
【課題を解決するための手段及び発明の効果】
【０００８】
本発明のコンテンツ中継装置は、１又は複数の入力端子と、複数の入力端子と、セレクタと、グループ情報作成部と、制御部と、調整部とを備える。１又は複数の入力端子は、コンテンツ供給機器から供給されるコンテンツを受ける。複数の出力端子は、各々が１又は複数の入力端子が受けたコンテンツのいずれか１つを外部装置に供給する。セレクタは、複数の出力端子の各々を１又は複数の入力端子のいずれかに接続する。グループ情報作成部は、複数の出力端子のうち２つ以上の出力端子を指定するグループメンバ情報と、２つ以上の出力端子に接続される入力端子を指定するグループソース情報と、２つ以上の出力端子から供給されるコンテンツの音量を指定するグループ音量情報とを作成する。制御部は、グループメンバ情報で指定される出力端子をグループソース情報で指定される入力端子に接続するようにセレクタを制御する。調整部は、グループメンバ情報で指定される出力端子から供給されるコンテンツの音量をグループ音量情報で指定された音量に調整する。
【０００９】
本発明によれば、グループメンバ情報で指定された２つ以上の出力端子は、グループソース情報で指定された入力端子に接続され、２つ以上の出力端子から供給されるコンテンツの音量は、グループ音量情報に基づいて調整される。ユーザは、グループメンバ情報、グループソース情報、グループ音量情報をコンテンツ中継装置に作成させることにより、２つ以上の出力端子の設定を簡略化することができる。
【００１０】
好ましくは、本発明のコンテンツ中継装置はさらに、個別情報作成部を備える。個別情報作成部は、複数の出力端子の各々に接続される入力端子を指定する個別ソース情報と、複数の出力端子の各々から供給されるコンテンツの音量を指定する個別音量情報とを作成する。複数の出力端子は、第１出力端子を含む。制御部は、第１出力端子がグループメンバ情報で指定されていない場合、第１出力端子を個別ソース情報で指定された入力端子に接続するようにセレクタを制御する。調整部は、第１出力端子がグループメンバ情報で指定されていない場合、第１出力端子から供給されるコンテンツの音量を個別音量情報で指定された音量に調整する。
【００１１】
本発明によれば、複数の出力端子をグループメンバ情報に登録して一括して設定する他に、複数の出力端子に関する設定を個別に行うことができる。
【００１２】
好ましくは、グループ情報作成部は、グループメンバ情報で指定された出力端子をグループメンバ情報から一時的に除外するか否かを示す除外情報を作成する。調整部は、除外情報がグループメンバ情報で指定された出力端子を一時的に除外することを示す場合、グループメンバ情報で指定された出力端子から供給されるコンテンツの音量を個別音量情報で指定された音量に調整する。
【００１３】
本発明によれば、除外情報を用いることにより、グループメンバ情報で指定された２つ以上の出力端子の音量を個別に調整することが容易となる。
【００１４】
好ましくは、制御部は、除外情報がグループメンバ情報で指定された出力端子を一時的に除外することを示す場合、グループメンバ情報で指定された出力端子を個別ソース情報で設定された入力端子に接続する。
【００１５】
本発明によれば、除外情報を用いることにより、グループメンバ情報における出力端子の指定を解除せずに、グループメンバ情報で指定された出力端子に接続される入力端子を個別に変更することができる。
【００１６】
本発明の制御プログラムは、本発明のコンテンツ中継装置に用いられる。
【図面の簡単な説明】
【００１７】
【図１】本発明の実施の形態に係るＡＶアンプの構成を示す機能ブロック図である。
【図２】図１に示す個別情報をテーブル形式で示す図である。
【図３】図１に示す個別情報を作成するＡＶアンプの動作を示すフローチャートである。
【図４】図１に示すグループ情報をテーブル形式で示す図である。
【図５】図１に示すグループ情報を作成するＡＶアンプの動作を示すフローチャートである。
【図６Ａ】図１に示すタッチパネルに表示されるメンバ選択画面を示す図である。
【図６Ｂ】図６Ａに示すメンバ選択画面においてグループメンバが追加されたメンバリストを示す図である。
【図７】図１に示すタッチパネルに表示されるメンバ変更画面を示す図である。
【図８】図１に示すＡＶアンプの動作を示すフローチャートである。
【図９】図８に示すグループ制御のフローチャートである。
【図１０】図８に示す個別制御のフローチャートである。
【発明を実施するための形態】
【００１８】
以下、図面を参照し、本発明の実施の形態を詳しく説明する。図中同一又は相当部分には同一符号を付してその説明は繰り返さない。
【００１９】
［１．ＡＶアンプの構成］
図１は、本発明の実施の形態に係るＡＶアンプ１の構成を示す機能ブロック図である。図１を参照して、ＡＶアンプ１は、ＣＰＵ（Central Processing Unit）１１と、ＲＡＭ（Random Access Memory）１２と、タッチパネル１３と、フラッシュメモリ１４と、入力端子１５ａ〜１５ｄと、出力端子１６ａ〜１６ｄと、セレクタ１７とを備える。
【００２０】
ＣＰＵ１１は、フラッシュメモリ１４に格納された制御プログラム２１をＲＡＭ１２にロードし、ロードされた制御プログラム２１を実行してＡＶアンプ１を制御する。ＲＡＭ１２は、ＡＶアンプ１のメインメモリである。
【００２１】
タッチパネル１３は、出力端子１６ａ〜１６ｄの設定画面を表示する。タッチパネル１３は、ユーザがタッチした位置を操作情報として出力する。
【００２２】
フラッシュメモリ１４は、不揮発性の半導体メモリであり、制御プログラム２１と、グループ情報２２と、個別情報２３とを記憶する。制御プログラム２１は、ＡＶアンプ１の動作を制御するためのプログラムである。制御プログラム２１は、ＡＶアンプ１にインストールされることにより、フラッシュメモリ１４に格納される。
【００２３】
グループ情報２２は、２つ以上の出力端子により構成されるグループに関するデータである。ユーザは、グループを構成する２つ以上の出力端子を指定する情報などをグループ情報２２に登録することにより、２つ以上の出力端子を一括して設定することができる。個別情報２３は、出力端子１６ａ〜１６ｄの各々に関するパラメータが記録されたデータである。ユーザは、グループ情報２２を用いて２つ以上の出力端子を一括して設定するだけでなく、個別情報２３を用いて出力端子１６ａ〜１６ｄの各々を個別に設定することができる。グループ情報２２及び個別情報２３の詳細については後述する。
【００２４】
入力端子１５ａ〜１５ｄの各々は、ＣＤプレーヤ、ＤＶＤ（Digital Versatile Disk）プレーヤなどのコンテンツ供給機器から供給される音声コンテンツを受ける。具体的には、入力端子１５ａは、ＤＶＤプレーヤ３に接続され、入力端子１５ｂは、ＣＤプレーヤ２に接続される。本実施の形態では、入力端子１５ｃ，１５ｄは、コンテンツ供給機器に接続されないが、コンテンツ供給機器が、入力端子１５ａ〜１５ｄの全てに接続されてもよい。
【００２５】
出力端子１６ａ〜１６ｄは、スピーカ４ａ〜４ｄに接続される。出力端子１６ａ〜１６ｄは、入力端子１５ａ〜１５ｄが受けた音声コンテンツのいずれか１つをスピーカなどの外部装置に供給する。スピーカ４ａ〜４ｄは、ＡＶアンプ１が設置される住居の各部屋Ｚｏｎｅ１〜Ｚｏｎｅ４に配置される。
【００２６】
セレクタ１７は、出力端子１６ａ〜１６ｄの各々を入力端子１５ａ〜１５ｄのいずれか１つに接続する。
【００２７】
［２．ＡＶアンプの動作］
［２．１．個別情報２３の作成］
図２は、個別情報２３をテーブル形式で示す図である。図２を参照して、個別情報２３は、出力端子１６ａ〜１６ｄごとに作成され、各出力端子に関する設定情報が記録される。以下、出力端子１６ａ〜１６ｄの各々に対応する個別情報２３を、個別情報２３ａ〜２３ｄと呼び、個別情報２３ａ〜２３ｄの総称を個別情報２３と呼ぶ。個別情報２３は、出力端子１６ａ〜１６ｄの各々に接続される入力端子を示す情報（個別ソース）と、出力端子１６ａ〜１６ｄの各々から供給されるコンテンツの音量を示す情報（個別音量）とを含む。
【００２８】
個別情報２３ａにおいて、入力端子１５ｂが個別ソースとして設定され、個別情報２３ｂ，２３ｄにおいて、入力端子１５ｃが個別ソースとして設定されている。このように、個別情報２３において、複数の出力端子に同一の入力端子（個別ソース）を割り当ててもよい。個別情報２３ｂにおいて個別音量は「６」であり、個別情報２３ｄにおいて個別音量は「８」である。このように、同一の入力端子が割り当てられている複数の出力端子に対して、異なる音量（個別音量）を設定してもよい。
【００２９】
図３は、個別情報２３を作成するＡＶアンプ１の動作を示すフローチャートである。ＣＰＵ１１は、ユーザの操作に応じて制御プログラム２１を実行して、個別情報２３を作成する。
【００３０】
ＣＰＵ１１は、個別情報２３を作成するための個別設定画面（図示省略）をタッチパネル１３に表示し、出力端子１６ａ〜１６ｄのいずれかの選択を受け付ける（ステップＳ１１）。以下、出力端子１６ａが選択された場合を例に説明する。
【００３１】
出力端子１６ａが指定された場合（ステップＳ１１においてＹｅｓ）、ＣＰＵ１１は、選択された出力端子１６ａに接続される入力端子（個別ソース）の選択を受け付ける（ステップＳ１２）。入力端子１５ｂが選択された場合（ステップＳ１２においてＹｅｓ）、ＣＰＵ１１は、選択された入力端子１５ｂを個別情報２３ａの個別ソースの欄に登録する（ステップＳ１３）。
【００３２】
ＣＰＵ１１は、個別設定画面において、音量の指定を受け付ける（ステップＳ１４）。ユーザが音量「１０」を指定した場合（ステップＳ１４においてＹｅｓ）、ＣＰＵ１１は、指定された音量「１０」を個別情報２３ａの個別音量の欄に登録する（ステップＳ１５）。これにより、個別情報２３ａの作成が終了する。
【００３３】
個別情報の作成の終了が指示された場合（ステップＳ１６においてＹｅｓ）、ＣＰＵ１１は、図３に示す処理を終了する。個別情報２３の作成の継続を指示された場合（ステップＳ１６においてＮｏ）、ＣＰＵ１１は、ステップＳ１１に戻り、出力端子の選択を受け付ける。
【００３４】
［２．２．グループ情報２２の作成］
図４は、グループ情報２２をテーブル形式で示す図である。図４を参照して、グループ情報２２は、グループＩＤ（IDentifier）と、グループソースと、グループ音量と、起動時刻と、グループメンバと、除外フラグとにより構成される。
【００３５】
グループＩＤは、グループ情報２２に割り当てられる固有情報である。図１では、１つのグループ情報２２がフラッシュメモリ１４に格納されているが、複数のグループ情報２２が格納されていてもよい。この場合、グループＩＤは、各々のグループ情報２２を識別するために用いられる。
【００３６】
グループメンバは、グループを構成する出力端子を示す。２つ以上の出力端子がグループメンバとして指定される。図４に示す例では、出力端子１６ａ，１６ｃが、グループメンバとして指定されている。
【００３７】
除外フラグは、グループメンバとして指定された出力端子を、グループメンバから一時的に除外するか否かを示す。除外フラグは、グループメンバごとに設定される。除外フラグ１は、グループメンバ１（出力端子１６ａ）に対応し、除外しないことを示す「０」に設定されている。除外フラグ２は、グループメンバ２（出力端子１６ｃ）に対応し、「０」に設定されている。グループ情報２２では、グループメンバとして指定された出力端子と、その出力端子の除外フラグとが繰り返し設定される。
【００３８】
グループソースは、グループメンバとして指定された出力端子に接続される入力端子を示す。図４では、入力端子１５ｂが、グループソースとして指定されている。グループソースに指定される入力端子の数は、１つである。
【００３９】
グループ音量は、グループメンバとして指定された出力端子から供給されるコンテンツの音量を示す。図４では、「１０」がグループ音量として指定されている。
【００４０】
起動時刻は、グループ情報２２に基づく出力端子の制御を開始する時刻を示す。図４では、「７：００」が起動時刻として指定されている。この場合、ＡＶアンプ１は、時刻「７：００」になった場合、出力端子１６ａ，１６ｃを入力端子１５ｂに接続するようにセレクタ１７を制御し、出力端子１６ａ，１６ｃから供給されるコンテンツの音量を「１０」に調整する。これにより、ユーザは、指定した起動時刻「７：００」に、ＣＤプレーヤ２が再生する楽曲を出力端子１６ａ，１６ｃに接続されたスピーカ４ａ，４ｃから流すことができる。
【００４１】
図５は、グループ情報２２を作成するＡＶアンプ１の動作を示すフローチャートである。図６Ａは、タッチパネル１３に表示されるグループメンバ選択画面（以下、「選択画面」と呼ぶ。）を示す図であり、図６Ｂは、ユーザの操作が反映された選択画面を示す図である。
【００４２】
ＣＰＵ１１は、ユーザがグループ情報２２の作成を指示した場合、図５に示す処理を開始する。図５を参照して、ＣＰＵ１１は、グループメンバの選択を受け付けるために、図６Ａに示す選択画面をタッチパネル１３に表示する（ステップＳ２１）。このとき、ＣＰＵ１１は、グループＩＤを発行し、発行したＩＤをグループ情報２２のグループＩＤの欄に書き込む。
【００４３】
ユーザは、タッチパネル１３に表示された選択画面を操作して、グループメンバとして登録する出力端子を指定する。図６Ａを参照して、出力端子１６ａ〜１６ｄのリスト（ゾーンリスト）が、選択画面の左側に配置される。グループメンバとして選択された出力端子のリスト（メンバリスト）が、選択画面の右側に配置される。ユーザは、ゾーンリスト内の出力端子１６ａ，１６ｃをメンバリストにドラッグし、かつドロップすることにより、出力端子１６ａ，１６ｃをグループメンバとして選択する。この結果、図６Ｂに示すように、出力端子１６ａ，１６ｃが、ゾーンリストからメンバリストに移動する。出力端子１６ｂ，１６ｄは、ゾーンリストに配置されたままである。
【００４４】
出力端子１６ａ，１６ｃがメンバリストに移動した場合、ＣＰＵ１１は、出力端子１６ａ，１６ｃがグループメンバとして選択されたと判断する（ステップＳ２２においてＹｅｓ）。ＣＰＵ１１は、選択された出力端子１６ａ，１６ｃをグループメンバとしてグループ情報２２に登録する（ステップＳ２３）。なお、グループ情報２２において、出力端子１６ａ，１６ｃの各々に対応する除外フラグは、「０」に設定される。除外フラグの変更については後述する。
【００４５】
次に、ＣＰＵ１１は、図示しないグループソース選択画面を表示して、グループメンバに接続される入力端子（グループソース）の選択を受け付ける（ステップＳ２４）。ユーザが入力端子１５ｂを選択した場合（ステップＳ２４においてＹｅｓ）、ＣＰＵ１１は、選択された入力端子１５ｂをグループソースとしてグループ情報２２に登録する（ステップＳ２５）。
【００４６】
ＣＰＵ１１は、図示しない音量指定画面を表示して、グループメンバから供給されるコンテンツの音量の指定を受け付ける（ステップＳ２６）。ユーザが音量「１０」を指定した場合（ステップＳ２６においてＹｅｓ）、ＣＰＵ１１は、指定された音量「１０」をグループ音量としてグループ情報２２に登録する（ステップＳ２７）。
【００４７】
ＣＰＵ１１は、図示しない起動時刻指定画面を表示して、起動時刻の指定を受け付ける（ステップＳ２８）。ユーザが時刻「７：００」を指定した場合（ステップＳ２８においてＹｅｓ）、ＣＰＵ１１は、指定された時刻「７：００」を起動時刻としてグループ情報２２に登録し（ステップＳ２９）、図５に示す処理を終了する。なお、起動時刻の指定を省略できるようにしてもよい。
【００４８】
また、ユーザは、グループ情報２２の内容を変更することができる。ユーザは、変更対象のグループ情報２２をタッチパネル１３に表示させる。図７は、グループメンバの変更画面を示す図である。図７を参照して、変更画面の構成は、選択画面（図６Ａ及び図６Ｂ参照）の構成と基本的に同じである。
【００４９】
ユーザは、変更画面を操作して、メンバリストに配置されたグループメンバの構成を変更することができる。変更画面の操作方法は、選択画面の操作方法と同じである。例えば、ユーザは、出力端子１６ｄをメンバリストに新たに追加してもよいし、出力端子１６ｂを出力端子１６ｃと入れ替えてもよい。
【００５０】
変更画面において、チェックボックス３１が、メンバリスト内の出力端子ごとに設けられる。チェックボックス３１は、メンバリストの右側に配置される。ユーザは、出力端子１６ａの右側に位置するチェックボックス３１にチェックを入れることにより、出力端子１６ａをグループメンバから一時的に除外することができる。グループ情報２２において、出力端子１６ａに対応する除外フラグが、「０」から「１」に変更される。ユーザは、出力端子１６ａの右側に位置するチェックボックス３１のチェックを外すことにより、出力端子１６ａの一時的な除外を解除することができる。この場合、グループ情報２２において、出力端子１６ａに対応する除外フラグが、「１」から「０」に変更される。なお、図６Ａ及び図６Ｂに示す選択画面に、チェックボックス３１を設けてもよい。グループソース、グループ音量、起動時刻の変更も可能である。
【００５１】
［２．３．セレクタ１７の制御及び音量調整］
以下、グループ情報２２に基づくセレクタ１７の制御及び音量調整について説明する。図８は、コンテンツが入力端子に入力された場合におけるＡＶアンプ１の動作を示すフローチャートである。
【００５２】
以下、ＣＤプレーヤ２が入力端子１５ｂに音声コンテンツを供給する場合を例にして、ＡＶアンプ１の動作を説明する。なお、ＡＶアンプ１は、図４に示すグループ情報２２に基づいて動作すると仮定する。
【００５３】
図４及び図８を参照して、ＣＰＵ１１は、入力端子１５ｂが音声コンテンツを受けた場合、図８に示す処理を開始する。ＣＰＵ１１は、入力端子１５ｂがグループソースに指定されているか否かを判断する（ステップＳ３１）。
【００５４】
グループ情報２２において、入力端子１５ｂがグループソースに指定されているため（ステップＳ３１においてＹｅｓ）、ＣＰＵ１１は、グループ制御を実行する（ステップＳ３２）。グループ制御とは、セレクタ１７の制御及び音量の調整をグループ情報２２に基づいて実行する処理である。グループ制御の詳細は後述する。なお、グループ制御の対象とならなかった出力端子は、後述するように、個別制御の対象として決定される。
【００５５】
一方、入力端子１５ｂがグループソースに指定されていない場合（ステップＳ３１においてＮｏ）、ＣＰＵ１１は、出力端子１６ａ〜１６ｄの全てを個別制御することを決定する（ステップＳ３３）。個別制御とは、セレクタ１７の制御及び音量の調整を個別情報２３に基づいて実行する処理である。ＣＰＵ１１は、個別制御を実行し（ステップＳ３４）、図８に示す処理を終了する。個別制御の詳細は、後述する。
【００５６】
［２．４．グループ制御（ステップＳ３２）］
図９は、グループ制御（ステップＳ３２）を実行するＡＶアンプ１のフローチャートである。図４及び図９を参照して、グループ制御を詳しく説明する。
【００５７】
ＣＰＵ１１は、グループ情報２２を参照して、グループメンバ（出力端子１６ａ）を選択する（ステップＳ３２１）。ＣＰＵ１１は、選択された出力端子１６ａ（選択メンバ）がグループメンバから一時的に除外されているか否かを除外フラグに基づいて判断する（ステップＳ３２２）。
【００５８】
図４に示すように、出力端子１６ａの除外フラグは、除外しないことを示す「０」に設定されている（ステップＳ３２２においてＮｏ）。ＣＰＵ１１は、出力端子１６ａをグループソース（入力端子１５ｂ）に接続するように、セレクタ１７を制御する（ステップＳ３２３）。ＣＰＵ１１は、出力端子１６ａからスピーカに供給されるコンテンツの音量をグループ音量に調整する（ステップＳ３２４）。
【００５９】
ＣＰＵ１１は、全てのグループメンバを選択していないため（ステップＳ３２５においてＮｏ）、次のグループメンバを選択するためにステップＳ３２１に戻る。出力端子１６ｃが選択される（ステップＳ３２１）。出力端子１６ｃの除外フラグが「０」に設定されているため（ステップＳ３２２においてＮｏ）、出力端子１６ｃは、セレクタ１７によりグループソースに接続される（ステップＳ３２３）。出力端子１６ｃの音量がグループ音量に調整される（ステップＳ３２４）。
【００６０】
全てのグループメンバが選択された場合（ステップＳ３２５においてＹｅｓ）、ＣＰＵ１１は、グループメンバ以外の出力端子を個別制御の対象に決定し（ステップＳ３２７）、図９に示す処理を終了する。
【００６１】
このように、ＣＰＵ１１は、グループ情報２２に基づいて、グループメンバとして指定された出力端子をグループソースに接続するようにセレクタ１７を制御し、グループメンバとして指定された出力端子の音量をグループ音量に調整する。ユーザは、所望の２つ以上の出力端子をグループメンバに指定することにより、所望の２つ以上の出力端子を一括して設定することができる。
【００６２】
ステップＳ３２２の説明に戻る。出力端子１６ａの除外フラグが、一時的に除外することを示す「１」に設定されている場合（ステップＳ３２２においてＹｅｓ）、ＣＰＵ１１は、出力端子１６ａを個別制御の対象に決定する（ステップＳ３２６）。
【００６３】
［２．５．個別制御］
図１０は、個別制御を実行するＡＶアンプ１のフローチャートである。図２及び図１０を参照して、個別制御を詳しく説明する。
【００６４】
ＣＰＵ１１は、個別制御の対象に決定された出力端子のうち、入力端子に未だ接続されていない出力端子を１つ選択する（ステップＳ３４１）。ステップＳ３４１において、グループメンバに指定されていない出力端子１６ｂが選択されたと仮定する。
【００６５】
ＣＰＵ１１は、出力端子１６ｂに対応する個別情報２３ｂを参照して、個別情報２３ｂで指定された個別ソース（入力端子１５ｃ）に出力端子１６ｂを接続するようにセレクタ１７を制御する（ステップＳ３４２）。ＣＰＵ１１は、出力端子１６ｂの音量を個別情報２３ｂで指定された個別音量「６」に調整する（ステップＳ３４３）。
【００６６】
ＣＰＵ１１は、全ての出力端子が入力端子１５ａ〜１５ｄのいずれか１つに接続されているか否かを判断する（ステップＳ３４４）。全ての出力端子が接続されていない場合（ステップＳ３４４においてＮｏ）、ＣＰＵ１１は、ステップＳ３４１に戻る。一方、全ての出力端子が接続された場合（ステップＳ３４４においてＹｅｓ）、ＣＰＵ１１は、図１０に示す処理を終了する。
【００６７】
上述のように、個別制御の対象は、グループ情報２２においてグループメンバから一時的に除外された出力端子を含む。例えば、図４及び図９を参照して、出力端子１６ｃの除外フラグが「１」に設定されていた場合（ステップＳ３２２においてＹｅｓ）、出力端子１６ｃは、グループメンバから一時的に除外され、個別制御の対象に決定される（ステップＳ３２６）。この場合、出力端子１６ｃは、個別制御処理（図１０参照）において、個別情報２３ｃで指定された個別ソース（入力端子１５ａ）に接続され、出力端子１６ｃの音量が個別情報２３ｃで指定された個別音量に調整される。
【００６８】
グループ情報が除外フラグを含むことにより、ユーザは、グループメンバに指定された出力端子をグループから外すことなく、グループメンバに指定された出力端子を一時的に個別に制御することができる。例えば、ユーザは、スピーカ４ｃから出力される音声コンテンツを一時的に変更したい場合に、グループメンバとして指定された出力端子１６ｃの除外フラグを「１」に設定すればよい。
【００６９】
なお、上記実施の形態において、グループ情報２２において除外フラグが「１」に設定された出力端子を個別ソースに接続し、この出力端子の音量を個別音量に調整する例を説明したが、これに限られない。ＣＰＵ１１は、除外フラグが「１」に設定された出力端子をグループソースに接続し、この出力端子の音量を個別音量に調整してもよい。
【００７０】
上記実施の形態において、コンテンツ中継装置の一例としてＡＶアンプ１を説明したが、これに限られない。コンテンツ中継装置は、ＡＶレシーバであってもよい。すなわち、コンテンツ中継装置は、コンテンツ供給機器から供給されるコンテンツを受ける１又は複数の入力端子と、各々が前記１又は複数の入力端子が受けたコンテンツのいずれか１つを外部装置に供給する複数の出力端子と、複数の出力端子の各々を１又は複数の入力端子のいずれかに接続するセレクタとを備えていればよい。
【００７１】
上記実施の形態において、ＣＤプレーヤ又はＤＶＤプレーヤが音声コンテンツをＡＶアンプ１に供給する例を説明したが、これに限られない。例えば、これらのプレーヤは、音声及び映像を含むコンテンツをＡＶアンプ１に供給してもよい。この場合、出力端子１６ａ〜１６ｄには、テレビジョン装置など、音声及び映像の両者を出力できる装置が接続される。
【００７２】
上記実施の形態において、制御プログラム２１がＡＶアンプ１にインストールされている例を説明した。制御プログラム２１をインストールする方法は、特に限定されない。例えば、制御プログラム２１は、ネットワークに接続されたサーバからダウンロードされ、ＡＶアンプ１にインストールされてもよい。あるいは、制御プログラム２１を記録したコンピュータ読み取り可能な媒体（例えば、光ディスク、ＵＳＢ（Universal Serial Bus）メモリ、フレキシブルディスクなど）が配布されている場合、制御プログラム２１は、その媒体からＡＶアンプ１にインストールされてもよい。
【００７３】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００７４】
１  ＡＶアンプ
１１  ＣＰＵ
１２  ＲＡＭ
１３  タッチパネル
１４  フラッシュメモリ
１５ａ〜１５ｄ  入力端子
１６ａ〜１６ｄ  出力端子
２１  制御プログラム
２２  グループ情報
２３  個別情報
【図１】
2014096737.tif 000003
【図２】
2014096737.tif 000004
【図３】
2014096737.tif 000005
【図４】
2014096737.tif 000006
【図５】
2014096737.tif 000007
【図６Ａ】
2014096737.tif 000008
【図６Ｂ】
2014096737.tif 000009
【図７】
2014096737.tif 000010
【図８】
2014096737.tif 000011
【図９】
2014096737.tif 000012
【図１０】
2014096737.tif 000013